(57)【要約】      （修正有）【課題】演奏技術をもたない者でも、高次倍音成分の付加された音、残響音または持続音を楽しむことの可能な弦楽器を提供する。【解決手段】弦楽器はボディ部１と、複数の弦３と、弦励振部５と、ブリッジ７とを含む。ボディ部１は、弦３、弦励振部５及びブリッジ７を支持している。弦３は、第１支持点Ｐ１と第２支持点Ｐ２１〜Ｐ３２との間の間隔によって定まる弦長を有している。弦励振部５は、電気信号によって駆動され、電気信号に応じて弦３を励振する。【選択図】図３
2018028672.tif 000002
【特許請求の範囲】
【請求項１】
ボディ部と、弦と、ブリッジとを含む弦楽器であって、
前記ボディ部は、前記弦及び前記ブリッジを支持しており、
前記弦は、第１支持点と第２支持点との間の間隔によって定まる弦長を有しており、
前記ブリッジは、前記第１支持点を有しており、
前記弦楽器は、更に、チューニング用のペグを含んでおり、
前記ペグは、つまみ部を含み、前記つまみ部は、前記ボディ部の外側に配置されており、
前記ボディ部は、内部空間を有しており、
前記弦及び前記ブリッジは、前記ボディ部の前記内部空間内に配置されている、
弦楽器。
【請求項２】
請求項１に記載された弦楽器であって、更に、弦励振部を含んでおり、
前記弦励振部は、電気信号によって駆動され、前記電気信号に応じた励振信号を前記弦に与えて励振するものである、
弦楽器。
【請求項３】
請求項１又は２に記載された弦楽器であって、
前記ペグは、前記ボディ部の外側と前記内部空間を貫通して配置されている、
弦楽器。
【請求項４】
請求項３に記載された弦楽器であって、
前記ペグは、巻取軸を含んでおり、
前記弦の一端が、前記ボディ部の前記内部空間で、前記巻取軸に巻き取られている、
弦楽器。
【請求項５】
請求項１乃至４の何れかに記載された弦楽器であって、
前記ボディ部には、小窓が設けられており、
前記小窓を通して、指先で前記弦を鳴らすことが可能である、
弦楽器。
【発明の詳細な説明】
【技術分野】
【０００１】
本発明は、弦楽器に関する。更に詳しくは、電気信号によって高次倍音成分の付加された音又は残響音を発生させることの可能な弦楽器に関する。
【背景技術】
【０００２】
高次倍音成分を付加するためのジャワリと呼ばれるブリッジと、共鳴弦を持つ楽器としては、インド古典楽器のシタールが知られている他、特許文献１に開示されている装置を取り付けたヴィオール族の楽器がある。シタールや、特許文献１に開示されている装置を取り付けた楽器は、直接演奏するための主弦と、主に共鳴させるための共鳴弦を備え、共鳴弦の一端をジャワリブリッジが支える。
【０００３】
ジャワリブリッジは、共鳴弦との接触面が、僅かに湾曲する凸曲面であることを特徴としており、弦の振動時に、弦振動の端部となる第１支持点に加え、前記第１支持点よりも振動側の位置で、弦を凸曲面と接触させることにより、高次倍音成分の付加された弦振動音を発生させる。その構造については、特許文献１の他、特許文献２や、特許文献３等にも開示されている。
【０００４】
共鳴弦は、このジャワリブリッジに支えられなければ、主弦で弾かれた音の残響を響かすのみだが、共鳴弦がこのジャワリブリッジに支えられることにより、高次倍音成分の付加された共鳴音が、主弦で弾かれた音から遅れたタイミングで立ち上がるように響く。
【０００５】
例えば、特許文献３には、弦を支持するブリッジ上面(サドル部材上面)が弦方向に沿って緩やかな曲面形状に形成され、弦の振動時に、振動終端となる第１接触位置(弦第１支持点)とその位置よりも振動側の少なくとも一箇所以上の第２接触位置の合計二箇所以上で接触することにより、高次成分の豊富な倍音が発生する旨説明されている。
【０００６】
また、高次倍音成分が付加された持続音を鳴らし続けるための楽器に、インド古典楽器のタンブーラがある。タンブーラは、通常、４〜５本の弦と、ジャワリブリッジとを有し、これらの弦を、演奏者が、ほぼ一定のリズムで順番に鳴らし続け、高次倍音成分が複雑に絡み合った持続音を響かせる。
【０００７】
しかし、従来のシタールや、特許文献１に開示されている装置を取り付けたヴィオール族の楽器は、その楽器の主弦を弾くことによってのみ、高次倍音成分が付加された共鳴音を発生させることが可能であり、楽器の外部からの音では、高次倍音成分の付加された共鳴音を十分に発生させることはできない。
【０００８】
つまり、主弦の音に反応して、高次倍音成分の付加された音が立ち上がるという優れた効果をもつにもかかわらず、これを扱うには、この弦楽器を演奏する専門的な技術が必要とされるために、この効果を発生させて楽しむことができるのは、ごく一部の演奏家に限られていた。これらの弦楽器の演奏技術を持たない者が、高次倍音成分が付加された共鳴音を発生させて楽しむことはできなかった。しかも、主弦の音が小さいときには、高次倍音成分が付加された共鳴音を十分に発生させることはできない。
【０００９】
また、多くの弦が楽器の外側に露出しており、弦の端の尖った部分に触れてけがをする危険がある他、弦が切れたときに、はじけた弦でけがをする危険もある。しかも、多くの弦が楽器の外側に露出しているために、楽器のボディ部を手入れしづらいという難点もある。
【００１０】
更に、タンブーラでは、ほぼ一定のリズムで弦を、順番に鳴らし続ける演奏者を必要とする。もし、そのような演奏者を必要としないで、タンブーラに特有の、高次倍音成分が複雑に絡み合った持続音を響かせることができれば、それは好ましいことである。
【００１１】
次に、特許文献４には、弦と、電磁励振器と、駒とを含む弦楽器であって、電磁励振器は制御装置からの指令信号によって駆動されて弦を励振する弦楽器が記載されている。
【００１２】
特許文献４の弦楽器では、指でキーを打鍵し、打鍵に追従して動作するハンマによって弦を打弦して振動させた後、電磁励振器からの誘導磁界により弦の振動状態を変更し、弦の音色等を変更するようにしたものである。制御装置からの指令により、電磁励振器の励磁周波数が制御されること、振動している弦に、電磁励振器からの誘導磁界を与えると、弦の振動状態が変化すること、ある一定の振動状態にある弦における、所定の倍音を生む高周波の弦振動の腹に相当する部分に電磁励振器を移動させて対応させ、そこに誘導磁界を付与することによってその倍音を強調または減衰させることができること、誘導磁界を弦振動と同位相の誘導周波数とすることにより弦振動を増幅し、逆に、誘導磁界を弦振動と逆位相とすることにより弦振動を減衰させ得ること、等が記載されている。
【００１３】
しかしながら、特許文献４は、基本的には、キーを指で打鍵し、打鍵に追従して動作するハンマにより、弦を打弦して振動させた後、電磁励振器からの誘導磁界により弦の振動状態を変更し、弦の音色等を変更するようにしたものである。したがって、特許文献４の場合も、この弦楽器を演奏する専門的な技術が必要とされるのであって、演奏技術を持たない者が、特許文献４に記載された音響的効果を享受することはできない。この点で、特許文献４に記載された技術は、特許文献１〜３に挙げた先行技術と、何ら異なるものではない。
【先行技術文献】
【特許文献】
【００１４】
【特許文献１】米国特許第５，８８３，３１８号明細書
【特許文献２】米国特許第３，４２２，７１５号明細書
【特許文献３】特開２００１−２７２９７２号公報
【特許文献４】特開平０４−０６０５９４号公報
【発明の概要】
【発明が解決しようとする課題】
【００１５】
本発明の課題は、演奏技術をもたない者でも、高次倍音成分の付加された音、残響音、または、持続音等を楽しむことの可能な弦楽器を提供することである。
【００１６】
本発明のもう一つの課題は、高次倍音成分の付加された音、残響音、または持続音を、簡単、かつ、十分に発生させ得る弦楽器を提供することである。
【００１７】
本発明の更にもう一つの課題は、安全性の高い弦楽器を提供することである。
【課題を解決するための手段】
【００１８】
上述した課題の少なくとも１つを解決するため、本発明に係る弦楽器は、ボディ部と、複数の弦と、弦励振部と、ブリッジとを含む。前記ボディ部は、前記弦、前記弦励振部及び前記ブリッジを支持しており、前記弦は、第１支持点と第２支持点との間の間隔によって定まる弦長を有しており、前記弦励振部は、電気信号によって駆動され、前記電気信号に応じて前記弦を励振する。本発明に係る弦楽器は、上記構成において、次の発明特定事項（ａ）〜（ｄ）の何れかを満たす。
【００１９】
（ａ）前記ブリッジは、前記第１支持点と、前記第１支持点よりも前記第２支持点側にあって前記弦の振動時に前記弦の接触する面とを有している。
（ｂ）前記ブリッジは、前記第１支持点と、前記第１支持点よりも前記第２支持点側にあって前記弦の振動時に前記弦の接触する面とを有しており、
前記ボディ部は、内部空間を有しており、
前記弦、前記弦励振部及び前記ブリッジは、前記ボディ部の前記内部空間内に配置されている。
（ｃ）前記ブリッジは、前記第１支持点と、前記第１支持点よりも前記第２支持点側にあって前記弦の振動時に前記弦の接触する面とを有しており、
前記弦及び前記ブリッジは、前記ボディ部の外面に配置されている。
（ｄ）前記ブリッジは、前記第１支持点を有し、前記第１支持点よりも前記第２支持点側に、前記弦の振動時に前記弦の接触する部分を持たない構造であり、
前記ボディ部は、内部空間を有しており、
前記弦、前記弦励振部及び前記ブリッジは、前記ボディ部の前記内部空間に配置されている。
【００２０】
本発明に係る弦楽器は、発明特定事項（ａ）〜（ｄ）の何れを満たす場合でも、弦励振部は、電気信号によって駆動され、電気信号に応じて弦を励振するから、声や、演奏しやすい任意の楽器などの様々な音を、音声電気信号として、弦励振部に供給することにより、演奏技術をもたない者でも、声や、演奏しやすい任意の楽器などの様々な音を使って、本発明に係る弦楽器から生じた音響を楽しむことができる。これは、演奏者を必要とする特許文献４からは予測できない作用効果である。また、高次倍音成分の付加された音、残響音、または持続音を、簡単、かつ、十分に発生させることができる。
【００２１】
発明特定事項（ａ）〜（ｃ）を満たす場合、ブリッジは、第１支持点と、第１支持点よりも第２支持点側にあって弦の振動時に弦の接触する面とを有しているから、弦励振部からの励振周波数が、弦の固有共振周波数もしくはその倍音周波数と一致しているか又は近接していると、弦励振部からの励振周波数に弦が共振して振動し、弦が、その振動によってブリッジの面に複雑に接触し、弦振動にさまざまな次数の高次倍音成分の付加された共鳴音を響かせる。したがって、演奏技術をもたない者でも、インド古典楽器のシタールと同様の、高次倍音成分の付加された共鳴音を楽しむことができる。なお、弦の振動周波数は、弦長、張力及び線密度等によって定まる。
【００２２】
発明特定事項（ｂ）を満たす場合、弦、弦励振部及びブリッジは、ボディ部の内部空間に配置されるから、弦の端の尖った部分に触れてけがをする危険がなくなるほか、弦が切れたときに、はじけた弦でけがをする危険も無くなる。また、ボディ部の手入れが容易になるという利点も得られる。
【００２３】
更に、発明特定事項（ｄ）を満たす場合、ブリッジは、第１支持点を有するが、第１支持点よりも第２支持点側に、弦の振動時に弦の接触する部分を持たないから、弦励振部から与えられる種々の励振周波数に共鳴して弦に生じた弦振動音による、残響音を楽しむことができる。
【００２４】
しかも、弦、弦励振部及びブリッジは、ボディ部の内部空間に配置されているから、弦の端の尖った部分に触れてけがをする危険がなくなるほか、弦が切れたときに、はじけた弦でけがをする危険も無くなる。また、ボディ部の手入れが容易になるという利点も得られる。
【００２５】
更に、本発明に係る弦楽器において、弦励振部は、励振器とともに、変換器を含む構成とすることもできる。前記励振器は、前記弦の弦単線毎に備えられ、前記弦単線を個別に励振する。前記変換器は、前記弦の弦単線毎に備えられ、その振動を電気信号に変換する。
【００２６】
このタイプの弦楽器では、弦単線に僅かな振動が生じると、その振動が変換器によって検出され、変換器によって電気信号に変換される。その電気信号は、増幅回路等を経て、当該弦単線に備えられた励振器にフィードバックされる。励振器は、フィードバック信号によって当該弦単線を励振する。これにより、正帰還型の発振回路が形成される。
【００２７】
上述した発振回路によると、弦を鳴らしていない状態であっても、正帰還ループ内で起こるノイズなどをトリガ信号として、正帰還が起こり、弦の固有共振周波数又はその倍音周波数で振動を始める。振動し始めた弦は、その振動を一定の振幅まで成長させるため、弦振動の音が、わき上がるように響く。一定の振幅まで成長し、安定状態に達すると、その安定状態で、弦振動は持続される。動作を停止すると、弦振動は減衰して鳴り止む。
【００２８】
ブリッジが、発明特定事項（ａ）〜（ｃ）に特定された構造、即ち、第１支持点と、第１支持点よりも第２支持点側にあって弦の振動時に弦の接触する面を有する場合には、発振回路の発振周波数によって定まる振動音に、高次倍音成分の付加された持続音を発生する。ブリッジが、発明特定事項（ｄ）に特定された構造、即ち、第１支持点を有するが、第１支持点よりも第２支持点側に、弦の振動時に弦の接触する部分を持たない構造である場合には、弦振動による持続音を発生する。なお、発明特定事項（ａ）〜（ｄ）を有する弦楽器を組み合わせてもよい。
【００２９】
本発明において、弦励振部は、電磁コイル、圧電振動子、磁歪振動子、超磁歪振動子、ボイスコイル型励振器、またはスピーカ等によって構成される。これらは、その性質に反しない限り、相互に置換することが可能である。したがって、以下に示す各種の実施の形態において、図示された一つの実施形態は、図示されていない他の励振器の形態をも示唆するものと解釈されなければならない。また、変換器は、好ましくは、非接触型の振動検出センサで構成される。その好ましい一例は、電磁コイルである。
【発明の効果】
【００３０】
以上述べたように、本発明によれば、次のような効果を得ることができる。
（ａ）演奏技術をもたない者でも、高次倍音成分の付加された音、残響音、または、持続音等を楽しむことの可能な弦楽器を提供することができる。
（ｂ）高次倍音成分の付加された音、残響音、または、持続音を、簡単、かつ、十分に発生させ得る弦楽器を提供することができる。
（ｃ）安全性の高い弦楽器を提供することができる。
【００３１】
本発明の他の目的、構成及び利点については、添付図面を参照し、更に詳しく説明する。添付図面は、単に、例示に過ぎない。
【図面の簡単な説明】
【００３２】
【図１】本発明に係る弦楽器の外観斜視図である。
【図２】図１に示した弦楽器を裏面側から見た斜視図である。
【図３】図１及び図２に示した弦楽器の裏面板を取り除いて示した斜視図である。
【図４】図３に示した状態で、ブリッジの部分を拡大して示す図である。
【図５】図４に示したブリッジと弦との関係を示す図である。
【図６】本発明に係る弦楽器の別の例を示す図で、裏面板を取り除いて示した斜視図である。
【図７】図６に示した弦楽器のブリッジの部分を拡大して示す図である。
【図８】本発明に係る弦楽器に用いられるブリッジの他の例を示す図である。
【図９】本発明に係る弦楽器の別の実施例における弦励振部を示す図である。
【図１０】本発明に係る弦楽器の別の実施例を示す外観斜視図である。
【図１１】図１０に示した弦楽器を裏面側から見た斜視図で、裏面板を取り除いて示してある。
【図１２】図１０及び図１１に示した弦楽器を長手方向の任意の位置で切断して示す斜視図である。
【図１３】本発明に係る弦楽器の更に別の実施例を示す外観斜視図である。
【図１４】図１３に示した弦楽器の弦励振部を拡大して示す斜視図である。
【図１５】本発明に係る弦楽器の別の例を示す図で、裏面板を取り除いて示した斜視図である。
【図１６】図１５に示した弦楽器の弦励振部を拡大して示す斜視図で、側面板を取り除いて示してある。
【図１７】本発明に係る弦楽器の別の実施例における弦励振部及びブリッジの部分を示す図である。
【図１８】図１７に示した弦励振部及びブリッジの部分を拡大して示す図である。
【図１９】弦楽器の弦励振部の他の例を、側面板を省略したうえで、拡大して示す斜視図である。
【図２０】図１９に示した弦励振部の状態を上面側から見た斜視図である。
【図２１】本発明に係る弦楽器の更に別の実施例における弦励振部を拡大して示す外観斜視図である。
【図２２】図２１の弦励振部を構成するのに適した励振器（ボイスコイル）の一例を示す断面図である。
【図２３】弦励振部を構成する励振器（ボイスコイル）の別の例を示す断面図である。
【図２４】本発明に係る弦楽器の更に別の実施例を、側面板を省略して示す斜視図である。
【図２５】本発明に係る弦楽器の更に別の実施例を示す斜視図である。
【図２６】本発明に係る弦楽器の更に別の実施例を示す外観斜視図である。
【図２７】図２６に示した弦楽器を、裏面板を取り除いて示す斜視図である。
【図２８】図２７に示した弦楽器の弦励振部を拡大して示す斜視図である。
【図２９】本発明に係る弦楽器の更に別の実施例を示す外観斜視図である。
【図３０】図２９に示した弦楽器を、裏面板を取り除いて示す斜視図である。
【図３１】本発明に係る弦楽器の別の実施例を示す図で、裏面板を取り除いて示した斜視図である。
【図３２】図３１に示した弦楽器のブリッジの状態を拡大して示す斜視図である。
【図３３】図３２に示したブリッジと、弦との関係を示す図である。
【図３４】本発明に係る弦楽器の更に別の実施例を示す図で、裏面板を取り除いて示した斜視図である。
【図３５】図３４に示した弦楽器の励振・ピックアップ構造を拡大して示す斜視図である。
【図３６】図３５に示した励振・ピックアップ構造を側面側から見た図である。
【図３７】図１〜図３３に示した弦楽器及び電子回路と、その音響情報の流れを示すブロック図である。
【図３８】図３７に示した弦楽器及び外部電気・電子回路と、音響情報の流れを示すブロック図である。
【図３９】図３４〜図３６に示した弦楽器及び電子回路と、その音響情報の流れを示すブロック図である。
【図４０】図３９に示した弦楽器及び外部電気・電子回路と、その音響情報の流れを示すブロック図である。
【図４１】図３９に示した電子回路の一部を抽出して示す図である。
【発明を実施するための形態】
【００３３】
図１〜図４１を通して、互いに対応する部分については、同一の参照符号を付し、重複説明を省略することがある。図１〜図４１のうち、図１〜図３０は、ジャワリブリッジを用いた弦楽器（第１のタイプと称する）の例を示し、図３１〜図３３は、ジャワリブリッジを用いない弦楽器（第２のタイプ）の例を示し、図３４〜図３６は発振回路を用いた弦楽器（第３のタイプ）の例を示す。
【００３４】
１．第１のタイプ
第１のタイプについて、まず、図１〜図５を参照するに、図示の弦楽器は、ボディ部１と、複数の弦３と、弦励振部５と、ブリッジ７とを含む。ボディ部１は、内部空間１００と、内部空間１００を画定する表面板１０１、裏面板１０２及び４枚の側面板１０３〜１０６を有する。もっとも、内部空間１００及びそれを画定する裏面板１０２及び側面板１０３〜１０６の全てを備えることは、必ずしも必須ではない。
【００３５】
内部空間１００を画定する表面板１０１〜１０６は、一般には木製であるが、その一部又は全体が金属、非金属又はそれらの材料を組み合わせた複合材料で構成されていてもよい。非金属材料には、カーボン・グラファイト、グラスファイバ等の合成繊維もしくは合成樹脂またはそれらの複合材料等が含まれる。これらの材料のラミネート板等を用いることもできる。
【００３６】
ボディ部１は、この実施例では、六面体状であるが、それに限定する趣旨ではない。内部空間１００を持たない平板状であってもよいし、外形形状が曲面等を含む他の形状であってもよい。更に、ボディ部１は、ある部分では、音響効果を高めるのに適した薄い厚みとし、他の部分では、厚みを増大させ、機械的強度を増加させる等の処理が施される。もっとも、弦楽器自体から生じる音に依拠せずに、弦３に生じた振動を電気・電子回路によって増幅する等して、外部に出す場合には、ボディ部１を、薄い部分を設けずに、全体として厚くして、機械的強度を優先させる構造としてもよい。この構造は、ボディ部１を、外部からの音圧の影響を受けにくい構造とする場合も有効である。
【００３７】
表面板１０１〜１０６のうち、表面板１０１には、小窓１５４が開けられている。表面板１０１の端には、チューニング・ペグ９が配置されている。チューニング・ペグ９は、表面板１０１を貫通して取り付けられ、表面板１０１の外側にペグ９０１〜９１２のつまみ部が配置されている。実施例では、表面板１０１に小窓１５４が設けられているから、小窓１５４を通して、指先で各弦を鳴らしながらチューニング用のペグ９０１〜９１２を使って調弦することができる。ペグ９０１〜９１２は、弦３の本数に合わせて備えられる。したがって、弦３の本数が変われば、ペグ９０１〜９１２の数も変わる。この実施例では、１２本の弦単線３０１〜３１２が備えられているから、１２本のペグ９０１〜９１２が備えられている。
【００３８】
表面板１０１と向き合う裏面板１０２の外面には、三角形の３頂点に立つ３つの脚部１５１〜１５３が立設されている。この３つの脚部１５１〜１５３によってボディ部１を支えることにより、設置面に歪みがあったとしても、必ず全ての脚部１５１〜１５３が設置面と接触して支える。
【００３９】
４つの側面板１０３〜１０６のうち、側面板１０５には、電源スイッチ兼入力ボリューム用のポット１２１、オリジナル・ボリューム用のポット１２２、出力ボリューム用のポット１２３、入力ジャック１３１、出力ジャック１３２、電源ジャック１３３が配置されている。電源ジャック１３３から電源を供給する構造の他、電池を内蔵する構造や、電源ジャック１３３から充電可能なバッテリを内蔵する構造等を採用することもできる。
【００４０】
弦３、弦励振部５及びブリッジ７は、ボディ部１の内部空間１００に配置されている。まず、弦３は、１２本の弦単線３０１〜３１２を、間隔をおいて平行配置したものである。したがって、１２音平均律の各音に調律することができる他、音階の中の特徴的なピッチについて、複数の弦が同じ音程を受け持つことにより、特定の音階に調律することもできる。また、微分音程からなる任意の音律に調律することもできる。もっとも、弦単線３０１〜３１２の本数は増減できる。
【００４１】
実施例に示す弦３は、磁性金属線であるが、実施の形態によっては、非磁性線を用いることもできる。弦３の弦単線３０１〜３１２は、一端が、側面板１０６の側において、表面板１０１の内面に設けたテールピース１４２によって固定され、表面板１０１の内面に添って、側面板１０６と対向する側面板１０５の方向に導かれる。テールピース１４２は、表面板１０１の内面に形成された取付部１４１に、ネジ１４３等によって固定されている（図４参照）。弦３の各弦単線３０１〜３１２は、更に、表面板１０１の内面に立設されたピン１６１〜１７２に架けられ、他端が、表面板１０１の表面側から内面側に貫通させたペグ９０１〜９１２の巻取軸９２１〜９３２に巻き取られる。実施例では、弦３の各弦単線３０１〜３１２に対するピン１６１〜１７２の位置を互いに異ならせ、それによって弦長を異ならせることにより、広い音域をカバーしている。音域は、弦長の他、張力及び線密度等によっても調整することができる。
【００４２】
ボディ部１の内部空間１００には、更に、ブリッジ７及び弦励振部５が設けられている。ブリッジ７の詳細は、図４及び図５に図示されている。このようなブリッジ７を、本発明では、ジャワリブリッジと称することとする。これらの図に示すように、ジャワリブリッジ７は、弦３との接触する面７１が、僅かに湾曲する凸曲面である。弦３は、このジャワリブリッジ７に支えられることにより、高次倍音成分の付加された音を響かせる。
【００４３】
実施例において、弦単線３０１〜３１２は、凸曲面である面７１との接触点を第１支持点Ｐ１とし、ピン１６１〜１７２との接触点を第２支持点Ｐ２１〜Ｐ３２とする弦長を有する（図３〜図５参照）。第1支持点Ｐ１は、面７１に対する弦単線３０１〜３１２の傾斜角度によって定まるもので、弦単線３０１〜３１２において、必ずしも一致するものではないが、説明の簡単化のため、一致するものとして説明する。なお、弦単線３０１〜３１２の傾斜角度は、第２支持点Ｐ２１〜Ｐ３２における弦支持高さを制御することによって、制御することができる。
【００４４】
第２支持点Ｐ２１〜Ｐ３２は互いに異なる。ジャワリブリッジ７の面７１は、凸曲面となっているので、面７１のうち、第１支持点Ｐ１よりも第２支持点Ｐ２１〜Ｐ３２の側にある面が、弦３に対して微小間隔を隔てて向き合い、弦３の振動時には、弦３の接触する面となる。
【００４５】
第１支持点Ｐ１よりも第２支持点Ｐ２１〜Ｐ３２の側にある面と、弦３との間に生じる微小間隔は、弦３の接触、それによる弦３の振動特性に重要な影響を与えるから、上記微小間隔を調整し、弦３の振動特性を調整する手段を設けることは、極めて有用である。図６及び図７は、その調整手段の一例を示している。この実施の形態では、細い線材、例えば、有機系の糸、無機系の糸又はこれらの複合糸等でなる調整具７５を、弦単線３０１〜３１２と面７１との間に介在させ、第１支持点Ｐ１及びその前方に生じる微小間隔を調整するようになっている。調整具７５のそれぞれは、弦単線３０１〜３１２のそれぞれに個別に備えられ、弦単線３０１〜３１２のそれぞれ毎に、その長さ方向に移動させて、微小間隔を調整するようになっている。一般には、調整具７５の位置が第１支持点Ｐ１となる。
【００４６】
面７１は、凸曲面である必要はない。例えば、図８に示すように、単純な傾斜面としてもよい。その傾斜面の先端に弦３を接触させることにより、第１支持点Ｐ１を形成してもよい。
【００４７】
ブリッジ７は、表面板１０１の内面に設けられたブレーシング７３の上に立設された複数の支柱７２によって支持されている。表面板１０１のうち、ブリッジ７の配置される部分は、音響効果を高める観点から、薄い方がよい。ブレーシング７３は、薄型化による機械的強度低下を補う手段となる。一方、ピン１６１〜１７２の立設される領域は、ピン１６１〜１７２に対する取付強度増大のために、厚くする。実施例では、表面板１０１の長手方向の略中間部に、厚み変化部が設定されている。既に述べたことであるが、弦３に生じた振動を電気・電子回路によって増幅する等して、外部に出す場合、或いは、ボディ部１を、外部からの音圧の影響を受けにくい構造とする場合には、ボディ部１を、薄い部分を設けずに、全体として厚くしてもよい。
【００４８】
弦励振部５は、外部から供給される電気信号によって駆動され、電気信号に応じて弦３を励振するものであって、励振器５１を有する。励振器５１は、図３に図示するように、ボディ部１の表面板１０１の内面に取り付けられている。実施例に示す励振器５１は、電磁コイルを含むマグネティック・ドライバ（電磁ドライバ）であり、磁性金属線でなる弦３に、直接に磁力線を作用させる位置に配置され、入力信号に応じて発生した磁力線の作用により、弦３を励振する。より具体的には、ジャワリブリッジ７からピン１６１〜１７２に至る弦３の中間位置において、表面板１０１の内面に支持部５２を設け、この支持部５２の上に、電磁コイルでなる励振器５１を支持する取付板５３を、例えば、ネジ留め等の手段によって固定した構造となっている。励振器５１を構成する電磁コイルは、コアの周りにコイルを巻いた周知の構造であって、コアの端面から磁力線を出す。また、励振器５１は、励振する場所の弦長に対する比率を一致させる目的で、弦３の方向に対して、斜めに配置することもある。
【００４９】
弦励振部５の励振器５１は、振動した弦３に接触しない程度に近づけた状態で配置されている。これは、できるだけ効率よく、弦３に磁力線を作用させるためである。弦３以外の磁性体に磁力線を放射すると、オリジナル音が響いてしまう。磁力線を、弦３に効率よく直接的に放射することにより、入力されたオリジナル音を、弦励振部５から発生させること無く、弦３を励振することができる。また、消費電力も押さえられる。
【００５０】
ボディ部１の表面板１０１の内面には、圧電素子を用いたピエゾ・ピックアプ１７が設置されている。ピエゾ・ピックアプ１７は、ボディ部１の表面板１０１の振動を拾うことができる。ピエゾ・ピックアプ１７は、この実施の形態では、ジャワリブリッジ７の直下に配置してあるが、ボディ部１の表面板１０１の振動を拾うことができる位置にあればよいので、図示の位置に限定されない。例えば、ブリッジ７に設置したり、或いはブリッジ７の内部に内蔵させたりすることもできる。
【００５１】
ボディ部１の側面板１０４には、ボディ部１の外側に向けて、内蔵マイク１８が設置されている。内蔵マイク１８（図１、図２参照）には、好ましくは、小型の単一指向性マイクが用いられる。
【００５２】
上述したように、図１〜図５に図示された弦楽器は、ボディ部１と、複数の弦３と、ブリッジ７とを含んでおり、弦３はボディ部１によって支持され、弦３を第１支持点Ｐ１で支持するブリッジ７も、ボディ部１によって支持されているから、第１支持点Ｐ１と第２支持点Ｐ２１〜Ｐ３２とによって規定される弦３の弦長、張力及び線密度等に応じた振動周波数の音が発生する。
【００５３】
本発明に係る弦楽器は、更に、弦励振部５を含んでおり、弦励振部５の励振器５１は、電気信号によって駆動され、電気信号に応じて、弦３を励振するから、声や、演奏しやすい任意の楽器などの様々な音を、音声電気信号として、弦励振部５に供給することにより、演奏技術をもたない者でも、本発明に係る弦楽器から生じた音響を楽しむことができる。なお、これまでの説明及び図面に照らして、弦３は、専ら励振器５１によって励振されることは明らかである。
【００５４】
ブリッジ７は、第１支持点Ｐ１と、第１支持点Ｐ１よりも第２支持点Ｐ２１〜Ｐ３２の側にあって、弦３の振動時に弦３の接触する面７１とを有しているから、弦３が、弦励振部５の励振器５１からの励振信号に共振して振動したとき、弦３がブリッジ７の面７１に複雑に接触することによって、弦振動に高次倍音成分の付加された共鳴音を響かせる。したがって、演奏技術をもたない者でも、インド古典楽器のシタールと同様の、高次倍音成分の付加された共鳴音を楽しむことができる。また、弦３は弦励振部５によって励振されるため、高次倍音成分の付加された共鳴音を、簡単、かつ、十分に発生させることができる。
【００５５】
しかも、図１〜図３に示した実施の形態の場合、弦３、弦励振部５及びブリッジ７は、ボディ部１の内部空間１００に配置されるから、弦３の端の尖った部分に触れてけがをする危険がなくなるほか、弦３が切れたときに、はじけた弦３でけがをする危険も無くなる。また、ボディ部１の手入れが容易になるという利点も得られる。なお、図５〜図８において、矢印Ｐ２は、第２支持点Ｐ２１〜Ｐ３２のある方向を示している。
【００５６】
次に、図９の実施の形態では、表面板１０１の内面に設けた支持体５６の振動伝達片５６２を、電磁コイルでなる励振器５１によって励振し、振動伝達片５６２の立ち上がり部に設けた貫通孔５６３を貫通する各弦単線３０１〜３１２を、間接的に励振するようになっている。支持体５６は、表面板１０１の内面に固定される固定部５６１を有しており、振動伝達片５６２は、この固定部５６１の一端から立ち上がっている。支持体５６は、振動伝達片５６２のうち、少なくとも、電磁コイルでなる励振器５１と向き合う部分の全体又は一部が磁性体で構成される。もっとも、支持体５６の全体が、磁性体で構成されていてもよい。
【００５７】
次に、図１０〜図１２を参照すると、弦３及びブリッジ７は、ボディ部１の表面板１０１の表面（外面）に配置されている。弦励振部５は、ボディ部１の内部空間１００に配置されている。ブリッジ７は、図４及び図５で示したジャワリブリッジや、図６〜図８に示したジャワリブリッジでもよい。弦３及びブリッジ７が、ボディ部１の外面に配置されていて、弦励振部５を構成する励振器５１の電磁コイルがボディ部１の内部空間１００に配置されている。したがって、励振器５１の電磁コイルからの磁力線は、表面板１０１を介して、弦３に作用することになる。弦励振部５は、図１１及び図１２に示すように、表面板１０１の内面に連続する支持部５２を設け、この支持部５２の上に、励振器５１を支持する取付板５３を、例えば、ネジ留め等の手段によって固定した構造となっている。
【００５８】
図１０〜図１２に図示した実施の形態の場合も、ブリッジ７は、弦３の接触する面７１が凸曲面のジャワリブリッジ７であるから、シタールと同様の、高次倍音成分の付加された共鳴音を楽しむことができる。
【００５９】
次に、図１３及び図１４の実施の形態でも、弦励振部５は、電磁コイルでなる励振器５１を含んでおり、弦３に対する作用端部となるコア端部５１１が、弦３及びブリッジ７のある表面板１０１の表面に露出している。励振器５１を構成する電磁コイルの大部分は、ボディ部１の内部空間１００にあって、そのコア端部５１１だけが、表面板１０１に設けられた貫通孔を貫通して、表面に導かれる。したがって、励振器５１を構成する電磁コイルのコア端部５１１から生じる磁力線が、表面板１０１を間に介することなく、弦３に直接的に作用し、これを励振することになる。
【００６０】
次に、図１５及び図１６に図示された弦楽器について説明する。図１５及び図１６に示した実施の形態の特徴は、弦励振部５の励振器５５が、圧電振動子で構成されていることである。励振器５５を構成する圧電振動子は、円板状の圧電基板５５１の周辺を、錘となるリング５５２によって縁取った構造を持ち、圧電基板５５１の中心部に連結した振動棒５５３から、圧電振動を取り出すようになっている。もっとも、励振器５５を構成する圧圧電振動子は、図示のものに限定されない。
【００６１】
励振器５５は、表面板１０１の内面に固定して設けた支持体５６によって支持されている。支持体５６は、金属等の無機系材料、合成樹脂等を含む有機系材料又はそれらの組合せで構成することができる。この支持体５６は、表面板１０１の内面に固定される固定部５６１と、この固定部５６１の一端から立ち上がる振動伝達片５６２とを含んでいる。振動伝達片５６２には、励振器５５を構成する圧電振動子の振動棒５５３の一端が、結合されている。また、振動伝達片５６２の立ち上がり部には、弦３の各弦単線３０１〜３１２を通す貫通孔５６３が開けられている。
【００６２】
貫通孔５６３を貫通した弦３の各弦単線３０１〜３１２は、２群に分けられ、そのうちの弦単線３０１〜３０６は、側面板１０４の方向に導かれ、巻取軸９２１〜９２６に巻き付け固定され、弦単線３０７〜３１２は、側面板１０３の方向に導かれ、巻取軸９２７〜９３２に巻き付け固定される。
【００６３】
図１５及び図１６に示した実施の形態によれば、圧電振動子で構成された励振器５５を電気信号によって駆動すると、励振器５５の圧電振動子に生じた電歪振動が振動棒５５３から振動伝達片５６２に伝達される。そして、振動伝達片５６２の立ち上がり部に設けられた貫通孔５６３を貫通する弦３の各弦単線３０１〜３１２が、振動伝達片５６２によって励振される。弦３に対する第１支持点Ｐ１は、ブリッジ７の面７１上にあり、第２支持点Ｐ２は、振動伝達片５６２の立ち上がり部に設けられた貫通孔５６３の位置によって設定される。
【００６４】
図１５及び図１６に示す実施の形態は、図１〜図５に示した実施の形態の電磁コイルを、圧電振動子に代えた点を除けば、図１〜図５に示したものと同じ構造であり、同等の作用効果を奏する。
【００６５】
次に、図１７及び図１８は、弦励振部５の励振器５５を、圧電振動子によって構成した点で、図１５及び図１６と共通であるが、励振器５５を構成する圧電振動子によって、ブリッジ７を励振し、ブリッジ７の振動を介して、弦３を励振する点で異なる。図示は省略するが、励振器５５を構成する圧電振動によって、ボディ部１の表面板１０１を励振し、ボディ部１の振動を介して、弦３を間接的に励振してもよい。図１８において、矢印Ｐ２は、第２支持点Ｐ２１〜Ｐ３２のある方向を示している。
【００６６】
図１９及び図２０の実施の形態では、弦励振部５は、圧電振動子でなる励振器５５を含んでおり、弦３に対する作用端部となる振動伝達片５６２の端部を、弦３及びブリッジ７のある表面板１０１の表面に露出させてある。弦励振部５を構成する励振器５５及び支持体５６は、図１６を参照して説明した構造をもっており、その大部分は、弦３及びブリッジ７のある表面とは反対側に位置する内面側のボディ部１の内部空間１００にあって、その振動伝達片５６２の端部だけが、表面板１０１に設けられた貫通孔５６４（図２０参照）を貫通して、表面に導かれる。そして、励振器５５によって駆動される振動伝達片５６２の振動によって、貫通孔５６３を貫通する弦３が励振される。
【００６７】
図１５〜図２０を通して、励振器５５において、圧電振動子の代わりに、電磁コイルを用いてもよいし、磁歪振動子、超磁歪振動子を用いてもよい。電磁コイルを用いた場合は、既に、図９に示した実施の形態、及び、その説明において示唆したように、支持体５６の全体を磁性体で構成してもよいし、振動伝達片５６２のうち、少なくとも、励振器５５の電磁コイルと向き合う部分の全体又は一部を磁性体で構成してもよい。磁歪振動子や超磁歪振動子を用いた場合は、支持体５６は、磁性材料である必要はなく、金属等の無機系材料、合成樹脂等を含む有機系材料又はそれらの組合せで構成することができる。
【００６８】
次に、図２１の実施の形態では、表面板１０１の内面に設けた支持体５６の振動伝達片５６２を、励振器６０によって励振し、振動伝達片５６２の立ち上がり部に設けた貫通孔５６３を貫通する各弦単線３０１〜３１２を、間接的に励振するようになっている。支持体５６は、磁性材料である必要はなく、金属等の無機系材料、合成樹脂等を含む有機系材料又はそれらの組合せで構成することができる。
【００６９】
図２２及び図２３は、励振器６０の具体的な構造を示す図である。これらは、何れもボイスコイル型励振器である。まず、図２２に示す励振器６０は、キャップ状の第１ヨーク６０１の筒状端面にリング状第２ヨーク６０３を配置すると共に、第１ヨーク６０１の中心部に配置した永久磁石６０２の先端面に第３ヨーク６０６を配置し、第３ヨーク６０６と第２ヨーク６０３との間に生じる隙間に、コイル６０４を配置した構造になっている。第２ヨーク６０３の下側には、弾性材でなるダンパ６０５が設けられており、ダンパ６０５の側を、取付板６０７に取り付けてある。
【００７０】
図２１の実施例では、図２２に図示された励振器６０が用いられており、取付板６０７を、振動伝達片５６２に、ネジ止め６０８等の手段によって取り付けた構造となっている。
【００７１】
図２３に示すボイスコイル型励振器６０は、リング状のマグネット６０２を、第１ヨーク６０１及びリング状の第２ヨーク６０３で挟み込んである。第１ヨーク６０１は、中心ヨーク部をリング状マグネット６０２及びリング状第２ヨーク６０３の中心孔内に位置させてあり、リング状第２ヨーク６０３の内面と第１ヨーク６０１との間に発生するリング状の隙間に、コイル６０４を配置した構造となっている。第２ヨーク６０３と支持体との間には、ダンパ６０５が配置されている。もっとも、ボイスコイル型励振器６０は、図２２、図２３に図示された構造のものに限らず、種々のタイプのものを用いることができる。
【００７２】
更に、図２４は、図１９及び図２０に示した実施の形態において、弦励振部５を、圧電振動子に代えて、ボイスコイル型励振器６０によって構成したもので、ボイスコイル型励振器６０によって駆動される振動伝達片５６２の振動によって、弦３が励振される。
【００７３】
図２５は、ボイスコイル型励振器６０によって構成される弦励振部５により、ボディ部１の、例えば表面板１０１を励振し、ボディ部１の振動によって、弦を間接的に励振する例を示している。
【００７４】
次に、図２６〜図２８の実施の形態では、ボディ部１の内部空間１００にスピーカ６００を、弦３と向き合うように配置し、スピーカ６００の音圧によって、ボディ部１の内部空間１００に張設された弦３を励振するようになっている。表面板１０１には、スピーカ６００と向き合う位置に報音孔１１１が設けられている。スピーカ６００は、表面板１０１の内面に設けた支持台５７の上に取り付けられている。
【００７５】
次に、図２９及び図３０に示す実施の形態では、ブリッジ７は、第１支持点Ｐ１とともに、第１支持点Ｐ１よりも第２支持点Ｐ２１〜Ｐ３２の側にあって、弦３の振動時に、弦３の接触する面７１を有している。ボディ部１の内部空間１００にスピーカ６００を、弦３と向き合うように配置し、スピーカ６００の音圧によって、ボディ部１の表面板１０１の外面に張設された弦３を励振するようになっている。表面板１０１には、スピーカ６００と向き合う位置に報音孔１１１が設けられている。スピーカ６００は、表面板１０１の内面の一部を構成する支持台５７の上に取り付けられている（図３０参照）。
【００７６】
図９〜図３０の実施の形態の場合も、ブリッジ７は、弦３の接触する面７１が凸曲面のジャワリブリッジ７であるから、演奏技術をもたない者でも、シタールと同様の、高次倍音成分の付加された共鳴音を楽しむことができる。
【００７７】
２．第２のタイプ
図３１〜図３３の実施の形態では、ブリッジ７は、第１支持点Ｐ１を有するのみで、第１支持点Ｐ１よりは、第２支持点Ｐ２の側に、弦３の接触する面を持たない。この条件を満たす限りにおいて、ブリッジ７の端面は、ブレード状、平面状、曲面状等の任意の形状をとり得る。ブリッジ７は、支持台７５の上に搭載され、支持台７５は、支柱７２によって、表面板１０１の内面に設けられたブレーシング７３に取り付けられている。
【００７８】
上述した構成のブリッジ７を用いた場合、第１支持点Ｐ１が、弦単線３０１〜３１２のそれぞれを支持していて、第１支持点Ｐ１よりも第２支持点Ｐ２の側に弦３の振動時に弦３の接触する部分を持たないから、弦励振部５から与えられる励振周波数に共鳴して弦３に生じる残響音を楽しむことができる。また、弦３は弦励振部５によって励振されるため、上述した残響音を、簡単、かつ、十分に発生させることができる。
【００７９】
しかも、弦３、弦励振部５及びブリッジ７は、ボディ部１の内部空間１００に配置されているから、弦３の端の尖った部分に触れてけがをする危険がなくなるほか、弦３が切れたときに、はじけた弦３でけがをする危険も無くなる。また、ボディ部１の手入れが容易になるという利点も得られる。
【００８０】
３．第３のタイプ
図３４〜図３６に示す実施の形態では、弦３の弦単線３０１〜３０４毎に、励振器及びその振動を電気信号に変換する変換器が備えられている。具体的には、ボディ部１の表面板１０１の内面に配置された弦３の各弦単線３０１〜３０４のそれぞれに対して、第１励振器２１１、第２励振器２３２、第３励振器２１３及び第４励振器２３４を対向して配置してある。第１励振器２１１の対向する弦単線３０１に第１変換器２２１を対向させ、第２励振器２３２の対向する弦単線３０２に第２変換器２４２を対向させ、第３励振器２１３の対向する弦単線３０３に第３変換器２２３を対向させ、第４励振器２３４の対向する弦単線３０４に第４変換器２４４を対向させてある。第１励振器２１１〜第４励振器２３４及び第１変換器２２１〜第４変換器２４４は、何れも電磁コイルである。
【００８１】
図示の例では、第１励振器２１１、第３励振器２１３、第１変換器２２１及び第３変換器２２３を、一つの支持台２１５の一面上に取り付けて、第１組み立て体２１を構成し、第１組み立て体２１の支持台２１５を、側面板１０３、１０４の内面に添って、表面板１０１の内面に立設した取付部５７１、５７２に取り付けた構造となっている。同様に、第２励振器２３２、第４励振器２３４、第２変換器２４２及び第４変換器２４４を、一つの支持台２３５の一面上に取り付けて、第２組み立て体２３を構成し、第２組み立て体２３の支持台２３５を、第１組み立て体２１から間隔をおいて、側面板１０３、１０４の内面に添って表面板１０１の内面に立設した取付部５７１、５７２に取り付けた構造となっている。
【００８２】
ピン１６１〜１６４は、弦３の長さ方向で見て、全て同一の位置に設けられており、弦３の各弦単線３０１〜３０４の全ての弦長が同じになっている。この場合は、各弦単線３０１〜３０４のそれぞれの弦の張力及び線密度等を段階的に変えることによって、広い音域をカバーすることができる。
【００８３】
図３４〜図３６に示す実施の形態に係る弦楽器の動作については、図３９〜図４１を参照して後で詳しく説明する。
【００８４】
４．回路・音響情報系
本発明に係る弦楽器の回路・音響情報系は、図１〜図３３に図示された弦楽器に向けられた図３７〜図３８の回路・音響情報系と、図３４〜図３６に図示された弦楽器に向けられた図３９〜図４１の回路・音響情報系の２つに大別される。なお、図３７〜図４１において、点線矢印付ラインは、音響・音圧伝搬を示す。
【００８５】
（１）図３７〜図３８の回路・音響情報系
図３７は、図１〜図３３に示した弦楽器及びその電気・電子回路とともに、音響情報の流れを示すブロック図、図３８は弦楽器と外部との間の電気・電子回路とともに、音響情報の流れを示すブロック図である。図において、参照符号Ａは本発明に係る弦楽器を示し、参照符号Ｂは外部入力機器または入力信号を示し、参照符号Ｃは外部音響を示している。図３７及び図３８は、一つの図として統合できるものであるが、紙面の都合から、２つに分けて示した。以下、図３７及び図３８とともに、随時、図１〜図３３を参照しながら説明する。なお、図１〜図３０の弦楽器は、高次倍音成分の付加された共鳴音を響かせるのに対し、図３１〜図３３の弦楽器は残響音を響かせるという点に、違いがあるだけである。そこで、説明の簡素化のために、主として、図１〜図３０の弦楽器に焦点を合わせる。図３１〜図３３の楽器については、当業者であれば、図１〜図３０の弦楽器についての説明から、容易に理解できる。
【００８６】
まず、外部で演奏された、楽器音や声などの音４０は、内蔵マイク１８によって拾われる。マイクやピックアップ４１が内蔵された楽器の音４０は、内蔵マイク１８によって拾う方法の他、入力ジャック１３１から、音響情報を入力することもできる。電気ギターや電子ピアノなどの電気楽器４２は、入力ジャック１３１から音響情報を入力する。また、音楽プレーヤーやパソコンからの音声信号４３も、入力ジャック１３１から、音響情報を入力することができる。
【００８７】
外部からの音声信号及び内蔵マイク１８からの信号は、入力ジャック１３１に組み込まれた入力セレクタ８０１によって選択される。入力ジャック１３１に、外部からの音声信号を伝送するプラグが接続されると、入力ジャック１３１からの音声信号が選択される。一方、入力ジャック１３１に外部からの音声信号を伝送するプラグが接続されなければ、内蔵マイク１８からの信号が選択される。入力セレクタ８０１によって選択された入力装置からの音声信号は、入力ボリューム８０２で入力音量が調節される。入力ボリューム８０２で音量調節された音声信号は、内蔵アンプ８０３で増幅される。
【００８８】
内蔵アンプ８０３で増幅された音声信号は、弦励振部５に供給される。そして、弦励振部５によって、弦３が振動させられる。振動させられた弦３は、ブリッジ７がジャワリブリッジである場合（図１〜図３０）には、ブリッジ７の面７１の複数の点で接触することにより、高次倍音成分の付加された共鳴音を響かせる。即ち、弦３が、弦励振部５からの励振信号に共振して振動したとき、弦３がブリッジ７の面７１に複雑に接触することによって、さまざまな次数の高次倍音成分が弦振動に付加され、高次倍音成分の付加された共鳴音を響かせる。したがって、演奏技術を持たない者であっても、高次倍音成分の付加された共鳴音を楽しむことができる。また、弦３は弦励振部５によって励振されるため、高次倍音成分の付加された共鳴音を、簡単、かつ、十分に発生させることができる。
【００８９】
図３１〜図３３に示した構造の場合には、ブリッジ７は、第１支持点Ｐ１を有するが、第１支持点Ｐ１よりも第２支持点（Ｐ２１〜Ｐ３２）の側には、弦３の振動時に弦３の接触する部分を持たない構造であるから、演奏技術をもたない者でも、弦励振部５から与えられる種々の励振周波数に共鳴して弦３に生じる残響音を楽しむことができる。また、弦３は弦励振部５によって励振されるため、上述した残響音を、簡単、かつ、十分に発生させることができる。
【００９０】
弦３の振動音は、表面板１０１及びボディ部１に伝わり、アコースティックな音響６２として放出されるともに、ピエゾ・ピックアップ８０８によって拾われ、更に、出力ボリューム８１０によって調節され、出力ジャック１３２から出力される。
【００９１】
また、入力セレクタ８０１から分岐されたオリジナル音の音響信号は、オリジナル・ボリューム８１６でオン・オフと音量が調節され、オンの場合は出力ジャック１３２から出力される。
【００９２】
出力ジャック１３２から出力された音声信号は、外部のアンプ８１２とスピーカ８１３を通して、音量が増幅された音響６３として放出される。または、外部の録音機器８１４に直接録音される。
【００９３】
上記の音響情報の伝達の結果、楽器音や声などの音４０を発すると、オリジナル音響６１が響くと同時に、その音に反応して、共鳴音のアコースティック音響６２が響く。また、外部アンプ８１２及びスピーカ８１３が設置されていると、そのオリジナル音と、高次倍音成分が付加された共鳴音（図３１〜図３３の場合は残響音）がミックスされた増幅音響６３が響く。このとき、ミックスされる割合は、オリジナル・ボリューム８１６及び出力ボリューム８１０を調整することにより、自在に調整することができ、オリジナル音のみや、高次倍音成分が付加された共鳴音（図３１〜図３３の場合は残響音）のみを、増幅音響６３として響かせることもできる。
【００９４】
電気ギターや電子ピアノなどの電気楽器４２を演奏した場合や、録音された音源を音楽プレーヤーやパソコン４３などから再生させた場合は、外部アンプ８１２及びスピーカ８１３が設置されていると、そのオリジナル音と、高次倍音成分の付加された共鳴音（図３１〜図３３の場合は残響音）とをミックスした増幅音響６３が響く。このとき、ミックスされる割合は、オリジナル・ボリューム８１６及び出力ボリューム８１０を調整することにより、自在に調整することができ、オリジナル音のみや、高次倍音成分が付加された共鳴音（図３１〜図３３の場合は残響音）のみを、増幅音響６３として響かせることもできる。また、オリジナル音のみの増幅音響６３の音量を調節し、高次倍音成分が付加された共鳴音（図３１〜図３３の場合は残響音）のアコースティック音響６２と一緒に響かせることや、高次倍音成分が付加された共鳴音（図３１〜図３３の場合は残響音）のアコースティック音響６２のみを響かせることもできる。また、これらを外部録音機器８１４に録音することもできる。
【００９５】
（２）図３９〜図４１の回路・音響情報系
図３９、図４０は、主として、図３４〜図３６に示した弦楽器及びその電気・電子回路とともに、音響情報の流れを示すブロック図である。図３９及び図４０は、一つの図として統合できるものであるが、紙面の都合から、２つに分けて示した。図３９、図４０では、特に、図３４〜図３６の弦楽器の音響情報の流れに関係する部分だけを取り出して示してある。図３９、図４０において、図３７、図３８に現れた部分に対応する部分については、同一参照符号を付し、重複説明は省略する。
【００９６】
図３９及び図４０とともに、図３４〜図３６を参照しながら説明すると、弦単線３０１〜３０４に独立して向けられた第１変換器２２１〜第４変換器２４４からの信号を、同じ弦単線に独立して用意された内蔵アンプ８２７を通して、同じ弦に独立して向けられた第１励振器２１１〜第４励振器２３４に送る。上記回路は、弦３の振動→マグネチック・ピックアップ（電磁コイルによる変換器）→内蔵アンプ８２７→マグネチック・ドライバ（電磁コイルによる励振器）→弦３の励振という正帰還形の発振回路を構成する。
【００９７】
上述した発振回路によると、弦３を鳴らしていない状態であっても、正帰還ループ内で起こるノイズなどをトリガ信号として、正帰還が起こり、弦３に含まれる弦単線３０１〜３０４のうち、対応する弦単線が、その共振周波数で振動を始める。振動し始めた弦３は、その振動を一定の振幅まで成長させるため、弦振動の音が、わき上がるように響く。一定の振幅まで成長し、安定状態に達すると、その安定状態で、弦振動は持続される。動作を停止すると、弦振動は減衰して鳴り止む。
【００９８】
このとき、図３４〜図３６に図示したように、弦３が、ジャワリブリッジ７に支えられている場合は、高次倍音成分の付加された音をわき上がるように立ち上がらせたのち、高次倍音成分が付加された持続音を響かせ続けることができる。動作を停止すると、高次倍音成分の付加された音が、自然な減衰を始め、やがて鳴り止む。
【００９９】
上述したように、図３４〜図３６に示した弦楽器によれば、演奏技術をもたない者でも、高次倍音成分の付加された持続音を、簡単、かつ、十分に発生させ、その持続音を楽しむことができる。
【０１００】
弦３が、図３３に図示したようなブリッジ７によって支えられている場合も、基本的に同様の動作をし、持続音を発生する。この場合には、演奏技術をもたない者でも、持続音を簡単、かつ、十分に発生させ、その持続音を楽しむことができる。
【０１０１】
内蔵アンプ８２７に含まれる各内蔵アンプは、コントロール部８０４によって、個別に制御される。内蔵アンプ８２７の動作開始、動作順序、信号増幅度、動作停止、更には、動作開始と動作停止の周期等は、コントロール部８０４によって実行される。制御方法としては、好ましくは、アナログ的な手法が用いられる。もっとも、コントロール部８０４を、CPU（Central Processing Unit）や、MPU（Micro-Processing Unit）等を含む構成とし、内蔵アンプ８２７をプログラム制御してもよい。コントロール部８０４による内蔵アンプ８２７の設定に関しては、例えば、次のような場合を例示することができる。
【０１０２】
（ａ）弦単線３０１〜３０４の全て、又は、任意に選択された弦単線を、持続的に鳴らし続けるように設定する。
（ｂ）弦単線３０１〜３０４のそれぞれについて、個別に、動作開始と動作停止のタイミングを設定し、鳴らし続ける。
（ｃ）弦単線３０１〜３０４のそれぞれについて、その動作開始及び動作停止がランダムに現れるようなプログラムを設定し、鳴らし続ける。
【０１０３】
上記（ａ）〜（ｃ）のような設定をすることにより、タンブーラのように高次倍音成分が複雑に絡み合った持続音を、任意の音程に調律された弦から響かせ続けることができる。特に、各弦単線３０１〜３０４を一定のリズムで順番に鳴らし続ける設定によると、タンブーラの演奏に近い音響となる。
【０１０４】
図４１は、内蔵アンプ８２７及びコントロール部８０４の具体的な回路構成を示している。図を参照すると、内蔵アンプ８２７は、弦単線３０１〜３０４の本数に合わせて、内蔵アンプ８３１〜８３４の４つを備えている。まず、内蔵アンプ８３１は、弦単線３０１に備えられた変換器２２１から供給される弦振動検出信号を増幅し、その増幅信号を、弦単線３０１を励振する励振器２１１に供給する。他の内蔵アンプ８３２〜８３４のそれぞれも、弦単線３０２〜３０４のそれぞれに備えられた変換器２４２、２２３、２４４から供給される弦振動検出信号のそれぞれを増幅し、その増幅信号を、弦単線３０２〜３０４を励振する励振器２３２、２１３、２３４のそれぞれに、個別に供給する。
【０１０５】
図３４〜図３６に図示された実施例では、ブリッジ７として、ジャワリブリッジを用いているが、これに限定するものではない。例えば、図３３に示した構造のブリッジ７を用いることもでき、その場合には、弦振動による持続音を楽しむことができることは前述したとおりである。
【０１０６】
５．変形例
本発明に係る弦楽器は、更に、以下のような変形が可能である。
（１） 図１〜図３３に図示した弦楽器は、外部からの音に反応して、高次倍音成分が付加された共鳴音又は残響音を響かせるが、図３７に示すように、FM音源などのサウンドチップを使用した内蔵音源・内蔵音源のコントロール部８１９を搭載し、これから発生される音声信号を、内蔵アンプ８０３で増幅したうえで、励振部５に送ることにより、共鳴音を響かせてもよい。
【０１０７】
これにより、例えば、内蔵音源から持続音の信号を送り、その信号に共振可能な弦が共振することにより、持続音を、アコースティックな弦振動の音として響かせ続けることができる。また、このような弦３の持続音を、内蔵音源からの信号を使って響かせ続けながら、同時に外部からの音を使って、弦振動による高次倍音成分が付加された共鳴音又は残響音を一緒に響かせることもできる。
【０１０８】
（２） 図１〜図３６に図示した弦楽器において、図３７及び図３９に示すように、本発明に係る弦楽器から生じた音を拾う手段として、圧電振動子を用いたピエゾ・ピックアップ８０８の他に、内部音用の内蔵マイク８０５や、電磁コイルを用いたマグネティック・ピックアップ８１５などを設置して使用してもよい。内部音用の内蔵マイク８０５は、表面板１０１及びボディ部１の振動から発せられる音圧を捉える。マグネティック・ピックアップ８１５は、弦３の振動を捉える。本発明に係る弦楽器から生じた音を拾う手段として、複数の装置を設置した場合には、ピックアップセレクタ８０９を設置し、どの装置からの信号を出力ボリューム８１０に送るのかを選択することができる。
【０１０９】
（３）図３４〜図３６に示した実施の形態において、図３９に示すように、入力ジャック１３１、入力ボリューム８０２及び内蔵アンプ８０３等をとおして、外部から励振器８１８に信号を与えてもよい。これによると、持続音を響かせ続けながら、同時に外部からの音を使って、外部音に共振した共鳴音を、一緒に響かせることができる。もっとも、励振器８１８は、励振器２１１、２１３、２３２、２３４をそのまま用いてもよいし、別に備えてもよい。
【０１１０】
図示は省略されているが、図３９に示す回路に対して、図３７及び図３８に示された構成を、適宜組み込むことができる。更には、図１〜図３３に示した弦楽器と、ボディ部１を共有する関係で組み合わせてもよい。
【符号の説明】
【０１１１】
１          ボディ部
３          弦
５          弦励振部
７          ブリッジ
１０１〜１０６    面板
【図１】
2018028672.tif 000003
【図２】
2018028672.tif 000004
【図３】
2018028672.tif 000005
【図４】
2018028672.tif 000006
【図５】
2018028672.tif 000007
【図６】
2018028672.tif 000008
【図７】
2018028672.tif 000009
【図８】
2018028672.tif 000010
【図９】
2018028672.tif 000011
【図１０】
2018028672.tif 000012
【図１１】
2018028672.tif 000013
【図１２】
2018028672.tif 000014
【図１３】
2018028672.tif 000015
【図１４】
2018028672.tif 000016
【図１５】
2018028672.tif 000017
【図１６】
2018028672.tif 000018
【図１７】
2018028672.tif 000019
【図１８】
2018028672.tif 000020
【図１９】
2018028672.tif 000021
【図２０】
2018028672.tif 000022
【図２１】
2018028672.tif 000023
【図２２】
2018028672.tif 000024
【図２３】
2018028672.tif 000025
【図２４】
2018028672.tif 000026
【図２５】
2018028672.tif 000027
【図２６】
2018028672.tif 000028
【図２７】
2018028672.tif 000029
【図２８】
2018028672.tif 000030
【図２９】
2018028672.tif 000031
【図３０】
2018028672.tif 000032
【図３１】
2018028672.tif 000033
【図３２】
2018028672.tif 000034
【図３３】
2018028672.tif 000035
【図３４】
2018028672.tif 000036
【図３５】
2018028672.tif 000037
【図３６】
2018028672.tif 000038
【図３７】
2018028672.tif 000039
【図３８】
2018028672.tif 000040
【図３９】
2018028672.tif 000041
【図４０】
2018028672.tif 000042
【図４１】
2018028672.tif 000043